(57)【要約】【課題】軽量かつ位置精度の高い荷電粒子ビームの照射が可能な、粒子線治療に使われる回転照射装置を提供すること。【解決手段】荷電粒子ビームの照射装置８、及び照射装置８に荷電粒子ビームを導くビーム輸送装置９，１０が取り付けられた回転可能な回転ガントリー１と、回転ガントリー１に含まれた環状部材と接触して回転ガントリー１を支持する回転自在なローラ１２を有する回転体支持装置１６を備えた回転照射治療装置において、回転ガントリー１の軸方向の一端部で回転体支持装置１６のローラ１２と接触するフロントリング３と、回転ガントリー１の軸方向の他端部で回転体支持装置１６のローラ１２と接触するリアリング４と、フロントリング３とリアリング４の間で、回転ガントリー１の軸方向の異なる位置に少なくとも１個、回転体支持装置１６のローラ１２と接触する中間リング５を備える。【選択図】図１
2008054892.tif 000002
【特許請求の範囲】
【請求項１】
荷電粒子ビームの照射装置と、この照射装置に荷電粒子ビームを導くビーム輸送装置と、このビーム輸送装置と前記照射装置とが取り付けられた回転体と、この回転体に含まれた環状部材と接触して前記回転体を支持する回転自在なローラを有する回転体支持装置を備えた回転照射治療装置において、
前記回転体の軸方向の一端部で前記回転体支持装置のローラと接触する第１の環状部材と、前記回転体の軸方向の他端部で前記回転体支持装置のローラと接触する第２の環状部材と、前記第１と第２の環状部材の間で前記回転体の軸方向の異なる位置に少なくとも１個の前記回転体支持装置のローラと接触する中間環状部材を備えたことを特徴とする回転照射治療装置。
【請求項２】
請求項１記載の回転照射治療装置において、
前記中間環状部材は前記回転体に含まれた中間環状部材接続部材によって前記回転体に固定され、この回転体を回転軸周りに回転させるモーメントの少なくとも一部を打ち消すように前記中間環状部材あるいは前記中間環状部材接続部材の質量を前記回転体の周方向に変化させたことを特徴とする回転照射治療装置。
【請求項３】
請求項１記載の回転照射治療装置において、
前記中間環状部材は前記回転体に含まれた中間環状部材接続部材によって前記回転体に固定され、前記中間環状部材あるいは前記環状部材接続部材が荷電粒子ビームの輸送装置の少なくとも１部を前記回転体に固定する役割を担うことを特徴とする回転照射治療装置。
【請求項４】
請求項３記載の回転照射治療装置において、
前記回転体を回転軸周りに回転させるモーメントの少なくとも一部を打ち消すように前記中間環状部材あるいは前記中間環状部材接続部材の質量を前記回転体の周方向に変化させたことを特徴とする回転照射治療装置。
【請求項５】
請求項１記載の回転照射装置において、
前記ローラと接触する前記中間環状部材の外周面から成る円筒の中を前記荷電粒子ビームが通過することを特徴とする回転照射治療装置。
【請求項６】
請求項１記載の回転照射治療装置において、
第１の環状部材と第２端部環状部材とに接触する回転自在なローラを含む回転体端部支持装置のうち、少なくとも一方が前記回転体の回転軸方向に移動可能であり、かつ中間環状部材と接触する回転自在なローラを含む回転体中間支持装置も前記回転体の回転軸方向に移動可能であることを特徴とする回転照射治療装置。
【発明の詳細な説明】
【技術分野】
【０００１】
本発明は、イオンビームを患部に照射する回転照射治療装置に関するものである。
【背景技術】
【０００２】
回転照射治療装置であるイオンビーム照射システムとは、陽子及び炭素イオンなどのイオンビームを患者の患部に照射して癌を治療する装置である。  
イオンビーム照射システムは回転照射治療装置である回転ガントリーを備えている。回転ガントリーは、例えば特許文献１に示されているように、フロントリング，リアリング及びこれらを接続するガントリー胴部を有する。イオンビームを導くビーム輸送装置（ビーム経路）及び照射装置（照射ノズル）がガントリー胴部に取り付けられる。
【０００３】
これらビーム輸送装置や照射装置を含むビーム輸送系の質量は、回転ガントリーに回転軸回りのモーメントを発生させるものであり、静止状態においては回転ガントリーの回転軸回りのモーメントをできるだけ小さくすることが望ましい。したがって、ビーム輸送系が発生するモーメントとは反対回りのモーメントを発生させて、静止状態で回転軸回りのモーメントが釣り合うようにするためにガントリー胴部にはバランスウェイトが取り付けられている。
【０００４】
回転ガントリーはフロントリング及びリアリングの位置で、複数の回転自在なローラを含むラジアル支持装置によってそれぞれ支持されている。各ラジアル支持装置に設けられた複数の回転自在なローラはフロントリング又はリアリングと接触しており、ローラの一部がモータによって回転されることによって、回転ガントリーが回転する。この回転ガントリーの回転は、患部に対するイオンビームの照射方向に照射装置を向かせるのに貢献する。
【０００５】
特許文献２は、粒子線治療装置の回転ガントリーにおいて、ローラを有する支持装置でリアリングを支持すること、ベース部に設置されるフロント支持フレームに旋回環を介してフロントリングを支持することが開示されている。旋回環は、リアリングを旋回可能にフロント支持フレームに設置する。フロント支持フレームは、ベース部にピンにより回動自在に接続される脚部に設置されている。脚部は、ピンによって回転ガントリーの回転軸方向に傾き可能になっている。このため、リアリングも回転ガントリーの回転軸方向に傾き可能である。これは、ベッドと回転ガントリーとの相対位置のずれを防止するものである。
【０００６】
特許文献３も粒子線治療装置の回転ガントリーに言及している。この回転ガントリーは、それぞれローラによって支持された２つの回転リングを備え、長期間安定した回転中心位置精度を保つために少なくとも一方の回転リングを挟むようにその回転リングの両側面に接触した一対の駆動ローラがその回転リングを回転させる。
【０００７】
特許文献４も粒子線治療装置の回転ガントリーに言及しているが、特に炭素イオンなどの重粒子線を照射するために好適な回転ガントリーの部材を開示している。この回転ガントリーは、回転対称な一次部材物と一次部材物に支持され、偏向電磁石を保持する二次部材物とを備えている。二次部材物として、偏向電磁石の自重による鉛直方向の変位量が、全回転位置角度において本質的に等しくなるような柔軟な剛性を有する部材を採用し、回転ガントリーの軽量化を達成しようとするものである。また、この回転ガントリーもフロントリングとリアリングを備えており、回転ガントリーの自重は両リングの位置で、ラジアル支持装置によって支えられている。フロント側とリア側に備えられたラジアル支持装置のうちどちらか一方を回転軸方向に移動可能に設計されている。
【０００８】
【特許文献１】特開平１１−４７２８７号公報
【特許文献２】特開２０００−１４０１３４号公報
【特許文献３】特許第３５９９９９５号公報
【特許文献４】特開２００４−１４８１０３号公報
【発明の開示】
【発明が解決しようとする課題】
【０００９】
前記粒子線治療装置では治療を行う際に、患者の患部に荷電粒子ビームの照射位置が定められる。治療の精度を向上させるためには、この照射位置が回転ガントリーの回転に伴って変動しないことが望ましい。
【００１０】
しかし、実際には回転ガントリーの自重によるたわみ変形やガントリーの回転軸と回転体支持装置に含まれるローラの回転軸のずれが原因で、照射位置は回転ガントリーの回転によって３次元的な振れ回りを生じる。この照射位置の３次元的な振れ回りの中心はアイソセンタ（照射目標中心）と呼ばれており、粒子線治療装置の基本性能として照射位置の３次元的な振れ回りがこのアイソセンタを中心とする直径数mmの球の内部に収まることが要求される。
【００１１】
この要求を満足するための一つの手段は、ガントリー胴部に高剛性の部材を採用して回転ガントリー自身の変形量を小さくすることである。ただし、回転ガントリーの高剛性化はガントリー胴部の質量の増加を伴う。回転ガントリーの質量が増加すれば、粒子線治療システムの導入費用（粒子線治療施設の建設費用，施設までの装置の輸送費用および装置の据付費用など）が増加し、結果的に粒子線によるがん治療の発展と普及を妨げることになる。
【００１２】
以上の理由で、粒子線照射システムでは軽量かつ照射精度の高い（照射位置の３次元的な触れ回りが小さい）ガントリーの開発が要求されている。また、炭素イオンなどの重粒子線は陽子線よりもがん細胞に与えるダメージが大きく、酸素濃度の低いがん細胞にも有効なため、重粒子線を使ったがん治療は発展が期待されている。
【００１３】
このような重粒子線を照射するシステムを構築する上で、重粒子線照射用の回転ガントリーの開発が必要である。何故ならば、炭素イオンなどの重粒子は陽子よりも質量が重いため、重粒子線を所定の位置に照射しようとすると、陽子線照射用のものに比べて大規模なビーム輸送装置や照射装置が必要になる。大規模なビーム輸送装置や照射装置を備え付けるためには、回転ガントリーを大きくしなければならない。
【００１４】
その結果、重粒子線照射用の回転ガントリーは陽子線照射用のものに比べて大きく、かつ重くなる。回転ガントリーの質量が増加すると粒子線治療システムの導入費用が増加することは前述したが、これと同様に回転ガントリーが大きくなった場合も治療施設の建設費用や装置の据付費用が増加するため、システムの導入費用が増加する。このような理由で、重粒子線照射システムでは、陽子線照射システムよりもさらに小型かつ軽量の回転ガントリーの開発が重要になる。
【００１５】
本発明の目的は、小型かつ軽量の回転照射装置を提供することにある。
【課題を解決するための手段】
【００１６】
上記目的は、荷電粒子ビームの照射装置と、この照射装置に荷電粒子ビームを導くビーム輸送装置と、このビーム輸送装置と前記照射装置とが取り付けられた回転体と、この回転体に含まれた環状部材と接触して前記回転体を支持する回転自在なローラを有する回転体支持装置を備えた回転照射治療装置において、前記回転体の軸方向の一端部で前記回転体支持装置のローラと接触する第１の環状部材と、前記回転体の軸方向の他端部で前記回転体支持装置のローラと接触する第２の環状部材と、前記第１と第２の環状部材の間で前記回転体の軸方向の異なる位置に少なくとも１個の前記回転体支持装置のローラと接触する中間環状部材を備えたことにより達成される。
【００１７】
また上記目的は、前記中間環状部材は前記回転体に含まれた中間環状部材接続部材によって前記回転体に固定され、この回転体を回転軸周りに回転させるモーメントの少なくとも一部を打ち消すように前記中間環状部材あるいは前記中間環状部材接続部材の質量を前記回転体の周方向に変化させたことにより達成される。
【００１８】
また上記目的は、前記中間環状部材は前記回転体に含まれた中間環状部材接続部材によって前記回転体に固定され、前記中間環状部材あるいは前記環状部材接続部材が荷電粒子ビームの輸送装置の少なくとも１部を前記回転体に固定する役割を担うことにより達成される。
【００１９】
また上記目的は、前記回転体を回転軸周りに回転させるモーメントの少なくとも一部を打ち消すように前記中間環状部材あるいは前記中間環状部材接続部材の質量を前記回転体の周方向に変化させたことにより達成される。
【００２０】
また上記目的は、前記ローラと接触する前記中間環状部材の外周面から成る円筒の中を前記荷電粒子ビームが通過することにより達成される。
【００２１】
また上記目的は、第１の環状部材と第２端部環状部材とに接触する回転自在なローラを含む回転体端部支持装置のうち、少なくとも一方が前記回転体の回転軸方向に移動可能であり、かつ中間環状部材と接触する回転自在なローラを含む回転体中間支持装置も前記回転体の回転軸方向に移動可能であることにより達成される。
【発明の効果】
【００２２】
本発明によれば、軽量かつ照射精度の高い回転照射装置を提供することができる。
【発明を実施するための最良の形態】
【００２３】
以下、図１〜図１３を用いて本発明の一実施例を説明する。
【実施例１】
【００２４】
まず、図１から図５を用いて、本実施例による回転照射装置の第１の部材例について説明する。
【００２５】
図１は回転照射装置の全体部材を表す側面図である。  
図２は図１のＡ−Ａ線断面である。  
図３は回転照射装置内のビーム輸送系とビーム照射装置の構成図である。  
図４は回転照射装置の回転部が図１の位置から回転軸を中心として１８０°回転したときの側面図である。  
図５は図４のＡ−Ａ線断面図である。  
なお、図４および図５には回転体支持装置１６に含まれるローラ１２のみを図示している。
【００２６】
図１および図２において、回転ガントリー１は略円筒形状のガントリー胴部２のフロント側（図１の右側）端部に設けたフロントリング３，リア側（図１の左側）端部に設けたリアリング４およびフロントリング３とリアリング４との間に中間リング５を有している。この中間リング５は中間リング接続部材６ａ，６ｂおよび６ｃによってガントリー胴部２に固定されている。ガントリー胴部２は円筒状になったシリンダ部材であり、その内部にはビーム輸送系７（詳細は図３で説明する）を経て輸送された荷電粒子ビームを患者に照射する照射装置８が設置されている。
【００２７】
回転ガントリー１の自重は、フロントリング３，リアリング４および中間リング５の位置で回転体支持装置１６ａ，１６ｂおよび１６ｃの回転可能な複数のローラ１２で支持されている。回転ガントリー１の回転に伴って回転体支持装置１６ａ，１６ｂおよび１６ｃに含まれたローラ１２はフロントリング３，リアリング４および中間リング５の外周面と接しながら回転運動する。したがって、上述のフロント，リア、中間それぞれのリング３，４および５の外周面がローラ１２の軌道面となる。
【００２８】
図１と図２では、リング１個あたり４個のローラ１２が配置されているが、リング１個に接するローラ１２の数はリングとローラの接触面圧が許容値以内となるようにに決定すれば良い。したがって、リング１個あたりのローラ１２の数は４個に限られるものではない。
【００２９】
図３において、回転照射装置内のビーム輸送系７は荷電粒子ビームの向きを変えるための偏向マグネット９，ビーム輸送装置１０（四極電磁石，ステアリング電磁石およびプロファイルモニターを含む）および真空ダクト１１から構成されている。本実施例では図１および図２に示すように、ビーム輸送装置１０と真空ダクト１１の一部が中間リング５と中間リング接続部材６ａによってガントリー胴部２に固定されている。８は荷電粒子ビームを患者に照射する照射装置である。すなわち、図１，図２に示した中間リング接続部材６ａは中間リング５をガントリー胴部２に固定する役割を担うとともに、ビーム輸送装置１０と真空ダクト１１をガントリー胴部に固定する役割も担っている。
【００３０】
図２に示すように、中間リング接続部材６ｃは中間リング接続部材６ａからガントリーの回転軸を中心に１８０°回転した位置に配置されている。この中間リング接続部材６ｃは他の接続部材６ａ，６ｂと同様に中間リング５をガントリー胴部２に固定する役割を担う。加えて、中間リング接続部材６ｃは偏向マグネット９，ビーム輸送装置１０および照射装置８の質量が主な原因で発生するガントリーの回転軸周りのモーメントを打ち消すのに必要な質量を備えている。すなわち、中間リング接続部材６ｃは回転モーメントをキャンセルするためのカウンタバランスウェイトの役割も担っている。
【００３１】
本実施例において、中間リング５の外径Ｒｒ（図１に示す）は、回転ガントリー１の最大回転半径Ｒｇ（図１に示す）よりも大きい。このような外径の中間リング５を採用することにより、図１と図２の状態から回転軸を中心に１８０°回転した状態（図４，図５）でも粒子線を患者に照射することができる。また、部材上は１８０°を超えてさらに回転することも可能である。すなわち、本実施例の回転ガントリー１は、患者を動かすことなく広範囲にわたる回転角（０°〜±１８０°以上）から粒子線を照射できるため、様々な患部の位置に対応可能な回転照射装置となっている。
【００３２】
図１に示すように回転体支持装置１６ａ，１６ｂおよび１６ｃは、リニアガイド１７を備えている。リニアガイド１７は、各リング（フロントリング３，リアリング４および中間リング５）とローラ１２との接触面に作用する摩擦係数に比べて小さい摩擦係数を有し、回転ガントリー１の回転軸方向にのみ自由に動き得る部材で、回転軸方向と直交する方向のねじり剛性も高い。回転ガントリー１はスラスト支持装置（図示せず）によって軸方向の動きが拘束されているため、回転ガントリー１の回転軸とローラ１２の回転軸のずれに起因して発生する回転ガントリー１と回転体支持装置１６ａ，１６ｂおよび１６ｃの軸方向の相対位置変化は、リニアガイド１７が軸方向に動くことによって吸収される。
【００３３】
図６は、本発明の第１の実施例による回転照射装置の第２の部材例を示す側面図である。  
図７は図６のＡ−Ａ断面からリア側（図６の左側）を見た図である。
【００３４】
図６，図７において、本図ではローラ１２のみを図示しているが、本部材例でも図１および図２と同様に、ローラ１２は回転体支持装置１６に含まれており、回転ガントリー１の質量はローラ１２の位置で回転体支持装置１６によって支えられている。以降、ローラ１２が図示された全ての部材例でローラ１２は回転体支持装置１６に含まれているので、回転ガントリー１の質量はローラ１２の位置で回転体支持装置１６によって支えられていると解釈する。
【００３５】
本部材例では、中間リング５が付加質量１５を含むので、中間リング５の質量は周方向に変化している。この中間リング５の質量は、偏向マグネット９，ビーム輸送装置１０および照射装置８などの質量が原因で発生する回転軸周りのモーメントを打ち消す役割、すなわちカウンタバランスウェイトの役割を担っている。中間リング５に加えて、中間リング接続部材６ｃもカウンタバランスウェイトの役割を担うようにしても良いし、中間リング接続部材６ｃは中間リング５をガントリー胴部に固定する役割のみを担う部材（質量）としても良い。このような部材では、中間リング５および中間リング接続部材６がカウンタバランスウェイトを兼ねることにより、中間リング５および中間リング接続部材６の設置による質量の増加を最小限に抑えることができる。
【００３６】
図８は、本発明の第１の実施例による回転照射装置の第３の部材例を示す側面図である。  
図９は図８のＡ−Ａ断面からリア側（図８の左側）を見た図である。  
図８と図９に示す回転照射装置は、図１と図２に示した構成と同様に、中間リング５と中間リング接続部材６ａによってビーム輸送装置１０と真空ダクト１１の一部がガントリー胴部２に固定されている。ただし、図１と図２に示した構成とは異なり、偏向マグネット９，ビーム輸送装置１０および照射装置８の質量が発生するガントリー回転軸周りのモーメントを打ち消すためのカウンタバランスウェイト１３を備えている。この部材では、中間リング接続部材６ｃの質量を調節して、中間リング接続部材６ｃがカウンタバランスウェイト１３の役割を一部担うようにしても良いし、中間リング接続部材６ｃは中間リング５をガントリー胴部に固定する役割のみを担う部材（質量）としても良い。中間リング接続部材６ｃがカウンタバランスウェイト１３の役割を一部担うことによって、カウンタバランスウェイト１３の質量を軽くできるので、カウンタバランスウェイト１３の取り付け，調整などが容易になる。
【００３７】
図１０は、本発明の第１の実施例による回転照射装置の第４の部材例を示す側面図である。  
図１０に示す回転照射装置は、図１〜図３に示した第１の部材例の中間リング５を２個に増やした部材例である。この部材例では、回転ガントリー１の自重を軸方向の４点で支えるので、回転ガントリー１のたわみ変形が第１の部材例よりも小さくなる。また、回転ガントリー１の自重を軸方向の異なる４箇所（図中のローラ１２の設置箇所）で支えるので、１個の回転体支持装置が支える荷重が第１の部材例に比べて小さくなり、結果として回転体支持装置を小型化，簡素化できる。この部材例では中間リング接続部材６ｃが回転軸周りのモーメントを打ち消すためのカウンタバランスウェイトの役割を担っているが、第２の部材例のように中間リング５にカウンタバランスウェイトの役割の一部を持たせても良いし、第３の部材例のように中間リング接続部材６ｃとは別に図８と図９に示したようなカウンタバランスウェイト１３を配置しても良い。
【００３８】
図１１は、本発明の第１の実施例による回転照射装置の第５の部材例を示す側面図である。  
図１１に示す回転照射装置は、第１から第４の部材例とは異なり、ガントリー胴部が略円筒形状でないものである。すなわち、本部材例ではフロントリング３とリアリング４を連結鋼管１４で接続してガントリー胴部を構成している。このようなガントリー胴部は図１に示した略円筒形状のガントリー胴部２に比べて剛性は低いが、回転ガントリーの全質量を軽くできる。また、中間リング５は中間リング接続部材６ａ，６ｂおよび６ｃによってガントリー胴部（フロントリング３，リアリング４および連結鋼管１４）と固定されている。第１から第３の部材例と同様に、中間リング５と中間リング接続部材６ａはビーム輸送装置１０と真空ダクト１１の一部をガントリー胴部に固定する役割を中間リング接続部材６ｃはカウンタバランスウェイトの役割を担っている。
【００３９】
中間リング５を設けて回転ガントリーの自重を３点で支えることにより、本部材例のように連結ビームで構成されるガントリー胴部でも、略円筒形状のガントリー胴部を採用した回転ガントリー並みにたわみが小さく、照射精度の高い回転照射装置が実現できる。
【００４０】
図１１では中間リング接続部材６ｃがカウンタバランスウェイトの役割を担っているが、図６と図７に示した第２の部材例のように中間リング５にカウンタバランスウェイトの役割を持たせても良いし、図８と図９に示した第３の部材例のように中間リング接続部材６ｃとは別にカウンタバランスウェイトを設置しても良い。また、図１１では中間リング５が１個であるが、図１０に示した第４の部材例のように中間リング５を軸方向の異なる位置に２個設置すると、中間リング５が１個の場合に比べて回転ガントリーの自重によるたわみ変形が小さくなる。
【００４１】
図１２は、本発明の第１の実施例による回転照射装置の第６の部材例を示す側面図である。  
図１３は回転照射装置内のビーム輸送系とビーム照射装置の構成図である。  
図１３のビーム輸送系では、荷電粒子の軌道である真空ダクト１１が回転軸と平行に配置されていない。このようなビーム輸送系の構成は、陽子線照射装置でよく採用されている。図１３のようなビーム輸送系に、第１の部材例を適用した回転照射装置が図１２である。このような部材を陽子線治療装置に適用した場合、他の部材例と同様に回転ガントリー１のたわみ変形が小さくできるので、照射精度の高い陽子線治療装置の回転ガントリーを実現できる。
【実施例２】
【００４２】
次に、図１４と図１５を用いて、本発明の第２の実施例による回転照射装置の第１の部材例について説明する。  
図１４は、本発明の第２の実施例による回転照射装置の第１の部材例を示す側面図である。  
図１５は、図１４のＡ−Ａ断面からリア側（図１４の左側）を見た図である。
【００４３】
図１４および図１５の回転照射装置は、第１の実施例の部材例と同様に、中間リング接続部材６ｃは中間リング５をガントリー胴部２に固定する役割を担うとともに、中間リング接続部材６ｃはカウンタバランスウェイトとしても機能する。また、中間リング接続部材６ａは中間リング５をガントリー胴部２に固定するともに、ビーム輸送装置１０と真空ダクト１１をガントリー胴部に固定する役割も担っている。
【００４４】
ただし、第１の実施例の部材例とは異なり、第２の実施例の部材例では中間リングの外径Ｒｒを回転ガントリー１の最大回転半径Ｒｇよりも小さくしている。したがって、第２の実施例の部材例では、図１４および図１５の状態から回転軸を中心として１８０°回転した状態（第１の実施例の部材例における図４および図５の状態）まで回転ガントリー１を回転させることはできない。一方で、このような回転照射装置ではフロントリング３，リアリング４および中間リング５の外径を等しくすることができるため、異なる径のリングを採用した場合に比べて、製作に要する工数を減らすことができるほか、最大回転半径Ｒｇの通過する空間が限られるため、回転照射装置を備え付ける建屋を小さくすることができる。
【００４５】
本部材例では中間リング接続部材６ｃがカウンタバランスウェイトの役割を担っているが、本実施例でも第１の実施例の第２および第３の部材例のように、中間リング５にカウンタバランスウェイトの機能を持たせても良いし、カウンタバランスウェイト１３を別に設けても良い。また、第１の実施例で説明した第４の部材例のように、本実施例でも中間リング５を２個以上設置しても良い。また、本部材例ではガントリー胴部２は略円筒形状となっているが、第１の実施例で説明した第５の部材例のように、本実施例でもガントリー胴部２を連結鋼管で構成しても良い。さらに、陽子線治療装置によく採用されている第１の実施例で説明した第６の部材例のようなビーム輸送系に対しても、本実施例の部材が適用でき、軽量かつ照射精度の高い回転照射装置が実現できる。
【００４６】
本実施例によれば、回転ガントリーのフロントリングとリアリングの間に中間リングを設置し、フロントリングとリアリングに加えて中間リングの位置でもラジアル支持装置によって回転ガントリーの自重を支えること、中間リングあるいは中間リングとガントリー胴部を接続する部材がバランスウェイトの役割を兼ねること、中間リングあるいは中間リングとガントリー胴部を接続する部材で荷電粒子ビームの輸送装置をガントリー胴部に固定することにより、回転照射装置の導入コストが安価になるので、年間当たりの粒子線治療を受ける人数を増加できる。
【図面の簡単な説明】
【００４７】
【図１】本発明の第１の実施例による回転照射装置の第１の部材例を示す側面図である。
【図２】本発明の第１の実施例による回転照射装置の第１の部材例を示す断面図である。
【図３】本発明の第１の実施例による回転照射装置の第１の部材例に含まれるビーム輸送系を示す断面図である。
【図４】本発明の第１の実施例による回転照射装置の第１の部材例で、回転照射装置が図１の状態から１８０°回転した状態の側面図である。
【図５】本発明の第１の実施例による回転照射装置の第１の部材例で、回転照射装置が図１の状態から１８０°回転した状態の断面図である。
【図６】本発明の第１の実施例による回転照射装置の第２の部材例を示す側面図である。
【図７】本発明の第１の実施例による回転照射装置の第２の部材例を示す断面図である。
【図８】本発明の第１の実施例による回転照射装置の第３の部材例を示す側面図である。
【図９】本発明の第１の実施例による回転照射装置の第３の部材例を示す断面図である。
【図１０】本発明の第１の実施例による回転照射装置の第４の部材例を示す側面図である。
【図１１】本発明の第１の実施例による回転照射装置の第５の部材例を示す側面図である。
【図１２】本発明の第１の実施例による回転照射装置の第６の部材例を示す側面図である。
【図１３】本発明の第１の実施例による回転照射装置の第６の部材例に含まれるビーム輸送系を示す図である。
【図１４】本発明の第２の実施例による回転照射装置の第１の部材例を示す側面図である。
【図１５】本発明の第２の実施例による回転照射装置の第１の部材例を示す断面図である。
【符号の説明】
【００４８】
１…回転ガントリー、２…ガントリー胴部、３…フロントリング、４…リアリング、５…中間リング、６…中間リング接続部材、７…ビーム輸送系、８…照射装置、９…偏向マグネット、１０…ビーム輸送装置、１１…真空ダクト、１２…ローラ、１３…カウンタバランスウェイト、１４…連結鋼管、１５…付加質量、１６…回転体支持装置、１７…リニアガイド。
【図１】
2008054892.tif 000003
【図２】
2008054892.tif 000004
【図３】
2008054892.tif 000005
【図４】
2008054892.tif 000006
【図５】
2008054892.tif 000007
【図６】
2008054892.tif 000008
【図７】
2008054892.tif 000009
【図８】
2008054892.tif 000010
【図９】
2008054892.tif 000011
【図１０】
2008054892.tif 000012
【図１１】
2008054892.tif 000013
【図１２】
2008054892.tif 000014
【図１３】
2008054892.tif 000015
【図１４】
2008054892.tif 000016
【図１５】
2008054892.tif 000017